(57)【要約】【課題】印刷出力を高速で行うことが可能な期間の予約に従って、ジョブの印刷出力を実行できる仕組みを提供する。【解決手段】本画像形成装置は、ジョブの印刷出力を第１の速度で行うことが可能な第１のモードでも、ジョブの印刷出力をその第１の速度よりも速い第２の速度で行うことが可能な第２のモードでも動作可能であり、本画像形成装置による印刷出力を第２の速度で行うことが可能な期間の予約を受け付け、その予約にしたがって、ジョブの印刷出力を、第１の速度で行うか、第２の速度で行うように画像形成装置を制御する。【選択図】  図４
2018079643.tif 000002
【特許請求の範囲】
【請求項１】
ジョブの印刷出力を第１の速度で行うことが可能な第１のモードでも、ジョブの印刷出力を前記第１の速度よりも速い第２の速度で行うことが可能な第２のモードでも動作可能な画像形成装置であって、
前記画像形成装置による印刷出力を前記第２のモードで行うことが可能な期間の予約を受け付ける受付手段と、
前記予約にしたがって、ジョブの印刷出力を、前記第１のモードで行うか、前記第２のモードで行うように前記画像形成装置を制御する制御手段と
を備えることを特徴とする画像形成装置。
【請求項２】
前記制御手段は、前記ジョブが前記予約された期間内に投入された或いは前記ジョブが前記予約された期間内に開始されることを条件として、前記ジョブの印刷出力を前記第２のモードで行うように前記画像形成装置を制御することを特徴とする請求項１に記載の画像形成装置。
【請求項３】
前記ジョブの投入時刻または前記ジョブの開始時刻を取得する取得手段と、
前記制御手段は、前記取得手段によって取得された前記時刻が前記予約された期間に含まれる場合に、前記ジョブの印刷出力を前記第２のモードで行うように前記画像形成装置を制御することを特徴とする請求項２に記載の画像形成装置。
【請求項４】
前記制御手段は、前記予約された期間にまたがって処理される前記ジョブの印刷出力を、前記ジョブの開始から完了まで同じモードで行うように、前記画像形成装置を制御することを特徴とする請求項１乃至３の何れか１項に記載の画像形成装置。
【請求項５】
前記制御手段は、前記予約された期間にまたがって処理される前記ジョブの印刷出力が行われるモードを、前記ジョブの印刷出力の途中で切り替えることを特徴とする請求項１乃至３の何れか１項に記載の画像形成装置。
【請求項６】
前記制御手段は、前記予約された期間にまたがって処理される前記ジョブの印刷出力が行われるモードを、前記ジョブの印刷出力の途中で切り替えるか否かをユーザに問い合わせ、当該問い合わせに対する前記ユーザの応答にしたがって、前記またがった後の前記ジョブの印刷出力が行われるモードを決定することを特徴とする請求項５に記載の画像形成装置。
【請求項７】
ジョブの印刷出力を第１の速度で行うことが可能な第１のモードでも、ジョブの印刷出力を前記第１の速度よりも速い第２の速度で行うことが可能な第２のモードでも動作可能な画像形成装置と、サーバとが通信可能な画像形成システムであって、
前記サーバは、
前記画像形成装置による印刷出力を前記第２のモードで行うことが可能な期間の予約を受け付ける受付手段と、
前記受付手段で受け付けた予約を予約情報として保持する保持手段と
を備え、
前記画像形成装置は、
前記サーバから予約情報を該サーバに要求して取得する要求手段と、
前記要求手段によって取得した前記予約情報にしたがって、ジョブの印刷出力を、前記第１のモードで行うか、前記第２のモードで行うように前記画像形成装置を制御する制御手段と
を備えることを特徴とする画像形成システム。
【請求項８】
前記制御手段は、前記ジョブが前記予約された期間内に投入された或いは前記ジョブが前記予約された期間内に開始されることを条件として、前記ジョブの印刷出力を前記第２のモードで行うように前記画像形成装置を制御することを特徴とする請求項７に記載の画像形成システム。
【請求項９】
前記画像形成装置は、
前記ジョブの投入時刻または前記ジョブの開始時刻を取得する取得手段を、さらに備え、
前記制御手段は、前記取得手段によって取得された前記時刻が前記予約された期間に含まれる場合に、前記ジョブの印刷出力を前記第２のモードで行うように前記画像形成装置を制御することを特徴とする請求項８に記載の画像形成システム。
【請求項１０】
前記制御手段は、前記予約された期間にまたがって処理される前記ジョブの印刷出力を、前記ジョブの開始から完了まで同じモードで行うように、前記画像形成装置を制御することを特徴とする請求項７乃至９の何れか１項に記載の画像形成システム。
【請求項１１】
前記制御手段は、前記予約された期間にまたがって処理される前記ジョブの印刷出力が行われるモードを、前記ジョブの印刷出力の途中で切り替えることを特徴とする請求項７乃至９の何れか１項に記載の画像形成システム。
【請求項１２】
前記制御手段は、前記予約された期間にまたがって処理される前記ジョブの印刷出力が行われるモードを、前記ジョブの印刷出力の途中で切り替えるか否かをユーザに問い合わせ、当該問い合わせに対する前記ユーザの応答にしたがって、前記またがった後の前記ジョブの印刷出力が行われるモードを決定することを特徴とする請求項１１に記載の画像形成システム。
【請求項１３】
ジョブの印刷出力を第１の速度で行うことが可能な第１のモードでも、ジョブの印刷出力を前記第１の速度よりも速い第２の速度で行うことが可能な第２のモードでも動作可能な画像形成装置の制御方法であって、
受付手段が、前記画像形成装置による印刷出力を前記第２のモードで行うことが可能な期間の予約を受け付ける受付工程と、
制御手段が、前記予約にしたがって、ジョブの印刷出力を、前記第１のモードで行うか、前記第２のモードで行うように前記画像形成装置を制御する制御工程と、
を実行することを特徴とする画像形成装置。
【請求項１４】
ジョブの印刷出力を第１の速度で行うことが可能な第１のモードでも、ジョブの印刷出力を前記第１の速度よりも速い第２の速度で行うことが可能な第２のモードでも動作可能な画像形成装置の制御方法における各工程をコンピュータに実行させるためのプログラムであって、前記制御方法は、
受付手段が、前記画像形成装置による印刷出力を前記第２のモードで行うことが可能な期間の予約を受け付ける受付工程と、
制御手段が、前記予約にしたがって、ジョブの印刷出力を、前記第１のモードで行うか、前記第２のモードで行うように前記画像形成装置を制御する制御工程と、
を実行することを特徴とするプログラム。
【発明の詳細な説明】
【技術分野】
【０００１】
本発明は、画像形成装置、その制御方法、プログラム、及び画像形成システムに関する。
【背景技術】
【０００２】
あるときはＡ４サイズの普通紙を４０ＰＰＭ（ＰａｇｅＰｅｒＭｉｎｕｔｅ）の出力速度で印刷し、またあるときはＡ４サイズの普通紙を６０ＰＰＭの出力速度で印刷することが可能な画像形成装置が知られている。このような、同じ用紙サイズや用紙タイプであっても複数の生産性で印刷可能な画像形成装置は、通常の生産性で印刷処理を行う通常生産性モードと、通常生産性モードよりも高い生産性で印刷処理を行う高生産性モードとを備えている。従来、通常生産性モードから高生産性モードへの動作モード（生産性モード）切り替えには、サービスエンジニアやメンテナンス担当者などが生産性モードとして高生産性モードを設定することが必要だった。
【０００３】
特許文献１には、ソフトウェアオプションのインストールによって動作モード（生産性モード）を通常生産性モードから高生産性モードへ切り換える画像形成装置が開示される。また、特許文献２には、ユーザによるライセンスのインストールによって高生産性モードでの累積印刷枚数の上限値を設定し、生産性モードを通常生産性モードから高生産性モードへ切り換える画像形成装置が開示される。
【先行技術文献】
【特許文献】
【０００４】
【特許文献１】特開２０１６−０２００３５号公報
【特許文献２】特開２０１６−０２２５９９号公報
【発明の概要】
【発明が解決しようとする課題】
【０００５】
ところで、特定期間のみ高生産性モードで動作させる期間ライセンスという考え方がある。例えば、高速モデルへの買い替えを検討しているユーザに対して、お試しとしてある特定期間のみ高生産性モードで動作させたり、又は、毎週末などの特定の時期に印刷が集中する場合に、その特定期間のみ高生産性モードで動作させたりするものである。
【０００６】
従来の生産性モードの切り替え方では、このような期間ライセンスを適用するには、生産性モードの切り替えをやはり手動で行わなくてはならない。そのため、生産性モードを通常生産性モードから高生産性モードに切り替えるには、サービスエンジニアやメンテナンス担当者を呼び、その到着を待つ必要があり、不便であった。例えば毎週金曜の０：００から２３：５９という特定の時間帯にのみ高生産性モードで画像形成装置を動作させたい場合に、毎週、サービスエンジニアやメンテナンス担当者を呼ぶ必要があった。これでは時間的コストおよび人的コストがかかってしまう。
【０００７】
本発明は、上述の問題に鑑みて成されたものであり、画像形成装置が高生産性モードで動作可能な期間を予約することが可能になる仕組みを提供することを目的とする。
【課題を解決するための手段】
【０００８】
本発明は、ジョブの印刷出力を第１の速度で行うことが可能な第１のモードでも、ジョブの印刷出力を前記第１の速度よりも速い第２の速度で行うことが可能な第２のモードでも動作可能な画像形成装置であって、前記画像形成装置による印刷出力を前記第２の速度で行うことが可能な期間の予約を受け付ける受付手段と、前記予約にしたがって、ジョブの印刷出力を、前記第１の速度で行うか、前記第２の速度で行うように前記画像形成装置を制御する制御手段と、を備えることを特徴とする。
【発明の効果】
【０００９】
本発明によれば、印刷出力を高速で行うことが可能な期間の予約に従って、ジョブの印刷出力を実行できる。
【図面の簡単な説明】
【００１０】
【図１】一実施形態に係る画像形成システムの概略図。
【図２】一実施形態に係る画像形成システムの構成図。
【図３】一実施形態に係る画像形成システムのブロック図。
【図４】一実施形態に係るＵＩ装置６００に表示される画面の説明図。
【図５】一実施形態に係るＵＩ装置６００に表示される画面の説明図。
【図６】一実施形態に係るＣＰＵ８０１における高生産性モードで印刷するか否かの判断を示すフローチャート。
【図７】一実施形態に係るＣＰＵ８０１における生産性モード切り替え期間を跨った際の制御手順を示すフローチャート。
【図８】一実施形態に係るＣＰＵ８０１における生産性モード切り替え期間を跨った際の制御手順を示すフローチャート。
【図９】一実施形態に係るＵＩ装置６００に表示される画面の説明図。
【図１０】一実施形態に係るＣＰＵ８０１における生産性モード切り替え期間を跨った際の制御手順を示すフローチャート。
【図１１】一実施形態に係るＵＩ装置６００に表示される画面の説明図。
【図１２】一実施形態に係るＣＰＵ８０１における生産性モード切り替え期間を跨った際の制御手順を示すフローチャート。
【図１３】一実施形態に係るＵＩ装置６００に表示される画面の説明図。
【発明を実施するための形態】
【００１１】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確立されるのであって、以下の個別の実施形態によって限定されるわけではない。
【００１２】
＜画像形成システムの構成＞
まず、図１を参照して、本実施形態の画像形成システム１０００の全体構成について説明する。画像形成システム１０００は、自動原稿読取装置２００、画像形成装置１００及びＵＩ装置６００を備える。なお、図１には記載していないが、画像形成システム１０００には、さらに情報処理装置であるサーバが含まれてもよい。この場合、サーバは、無線又は有線で画像形成装置１００と通信可能に接続され、後述の動作モードの期間を受け付けることができる。この場合の予約は、オペレータがサーバ上で行うことによって受け付けてもよいし、通信を介して外部装置から受け付けてもよい。
【００１３】
自動原稿読取装置２００は、原稿台ガラス上に載置された原稿を読み取って画像データを出力する。画像形成装置１００は、自動原稿読取装置２００から出力された画像データやネットワークを介して接続された外部装置から入力された画像データに従って記録材（用紙）に画像を形成する。また、画像形成装置１００は、後述する通常生産性モード及び高生産性モードを含む２つの動作モード（生産性モード）で動作可能である。ＵＩ装置６００は、タッチパネル付き液晶ディスプレイを有し、ＧＵＩ（グラフィカル・ユーザ・インタフェース）により、ユーザへの情報提示と印刷枚数の指定などの入力操作の受付を行う。ＵＩ装置６００は、ハードウェアキーを備えてもよい。
【００１４】
＜画像形成装置の構成＞
次に、図２を参照して、画像形成装置１００の具体的な構成と画像形成動作について説明する。１０１ａ〜１０１ｄは複数色、例えばブラック、イエロー、シアン、マゼンタ、色のプロセスユニットであり、感光ドラム、現像器、及び帯電ローラなどによって構成されている。プロセスユニット１０１ａの中央部には感光ドラム１０２ａが収められており、不図示のドラムモータによって回転駆動される。１０３ａは帯電ローラであり、高圧を印加して感光ドラム１０２ａの表面を一様に帯電するものである。１０４ａはレーザダイオードから変調出力されたレーザを、ポリゴンミラー回転体を使用して感光ドラム１０２ａの長手方向に走査するレーザスキャナユニットである。レーザスキャナユニット１０４ａは、一様に帯電された感光ドラム１０２ａ上に入力画像情報に従ってレーザ露光を行い、静電潜像を形成する。１０５ａは現像器であり、トナーとキャリアからなる二成分現像剤によって、静電潜像に応じた可視トナー像を感光ドラム１０２ａ上に形成する。１０６ａはトナーが充填されたトナーボトルとトナー搬送機構からなるトナーボトルユニットであり、現像器１０５ａに対してトナーを供給する。トナーは消耗材のため、トナーボトルは着脱交換可能に構成されている。１０７ａは一次転写ローラであり無端ベルト状部材である中間転写体１０８に対して感光ドラム１０２ａからトナー像を一次転写するためのものである。１０９ａは補助帯電ブラシであり、一次転写ローラで転写しきれなかった転写残トナーが一様な電荷を持つよう帯電するものである。
【００１５】
プロセスユニット１０１ａに含まれる感光ドラム１０２ａ、帯電ローラ１０３ａ、現像器１０５ａ、トナーボトルユニット１０６ａ、及び補助帯電ブラシ１０９ａに関して述べたが、プロセスユニット１０１ｂ、１０１ｃ、１０１ｄについても共通である。以下では、ａ、ｂ、ｃ、ｄを省略して、単にプロセスユニット１０１、感光ドラム１０２、帯電ローラ１０３、現像器１０５、トナーボトルユニット１０６、及び補助帯電ブラシ１０９と記述した場合、各ユニットａ〜ｄに共通の説明とする。
【００１６】
中間転写体１０８に一次転写されたトナー像は、１１０に示す二次転写ローラによって用紙上に二次転写される。二次転写ローラ１１０で転写しきれなかった残トナーや、用紙上に転写することを意図しない調整用のトナー像は、中間転写体クリーナ１１１によって回収され不図示の残トナー格納容器に格納される。１１２は中間転写体１０８上に画像形成されたパターンの濃淡変化を検出するパターン濃度検知センサである。
【００１７】
用紙は給紙カセット１１３に収納されており、給紙ローラ１１４によって搬送され、レジストローラ１１５によって斜行を補正された後、二次転写ローラ１１０に送られる。二次転写ローラ１１０でトナー像を転写された用紙は、定着ローラ１１７及び加圧ローラ１１８から構成される定着ユニット１１６によってトナー像が熱定着される。その後、当該用紙は、排紙フラッパ１１９によって排紙パス１２０を経由して排紙口Ｏ１、Ｏ２、Ｏ３、又は両面反転駆動１２２に送られる。用紙搬送パス上には複数の用紙検出センサ１４０、１４１、１４２、１４３、１４４、１４５、１４６が設けられており、用紙搬送制御やジャム状態の検知に用いられる。
【００１８】
両面反転駆動１２２に送られた用紙は、両面反転駆動１２２の逆転と両面反転フラッパ１２３の回動によって両面再給紙駆動１２４に送られ、再度二次転写ローラ１１０に送られて二面目の画像を形成した後、排紙口Ｏ１、Ｏ２、Ｏ３に排紙される。排紙口Ｏ１、Ｏ２、Ｏ３の近傍には排紙ローラ１３１、１３２、１３３が設けられ、用紙を装置外へ排出すべく送り出す。用紙は第２増設給紙カセット１２５、第３増設給紙カセット１２６にも収められており、増設カセット給紙ローラ１２７及び増設カセット給紙ローラ１２８からも給紙を行うことができる。
【００１９】
＜ブロック図の説明＞
次に、図３を参照して、画像形成システム１０００の制御回路構成について説明する。画像形成システム１０００は、制御構成として、ジョブ管理回路部８００、画像形成回路部９００、画像形成制御部９１０、ネットワークＩ／Ｆ制御部８１０、ＵＩ制御部８２０、及び読取制御部８４０を備える。
【００２０】
ジョブ管理回路部８００は、ＣＰＵ８０１、ＲＯＭ８０２、及びＲＡＭ８０３を備える。このジョブ管理回路部８００は、第１のコントローラーである。ＣＰＵ８０１は画像形成システム１０００のネットワークＩ／Ｆ制御部８１０、ＵＩ制御部８２０及び読取制御部８４０の制御を行う。ＲＯＭ８０２は、ＣＰＵ８０１が動作するためのプログラムを格納している。ＲＡＭ８０３は、バックアップ記憶機能を有し、ＣＰＵが演算した結果を一時的にデータ記憶しておくために使用される。
【００２１】
画像形成回路部９００は、ＣＰＵ９０１、ＲＯＭ９０２、及びＲＡＭ９０３を備える。この画像形成回路部９００は、第２のコントローラーである。ＣＰＵ９０１はＣＰＵ８０１との間でジョブや画像データ、トナーなどの消耗品に関する情報などのやり取りを行うと共に、画像形成制御部９１０の制御を行っている。ＲＯＭ９０２は、ＣＰＵ９０１が動作するためのプログラムを格納している。ＲＡＭ９０３は、バックアップ記憶機能を有し、ＣＰＵが演算した結果を一時的にデータ記憶しておくために使用される。
【００２２】
ネットワークＩ／Ｆ制御部８１０は外部のネットワークと接続されており、外部装置とジョブデータやトナーなど消耗品管理に関わる情報などの通信を行う。ＵＩ制御部８２０はＵＩ装置６００の制御を行い、ＣＰＵ８０１とジョブ操作にかかわる信号のやり取りを行う。読取制御部８４０は自動原稿読取装置２００の制御を行い、原稿を読み取って画像データをＣＰＵ８０１へ渡す。
【００２３】
画像形成制御部９１０は、ＣＰＵ９０１からの制御信号により不図示のドラムモータを駆動する。さらに、画像形成制御部９１０は、プロセスユニット１０１ａ〜１０１ｄ、トナーボトルユニット１０６ａ〜１０６ｄ、トナー残量センサ９０４ａ〜９０４ｄ、及びトナーボトル回転モータ９０５ａ〜９０５ｄのような画像形成に関わるユニットを制御する。ここで、トナーボトルユニット１０６はトナーボトル回転モータ９０５を駆動することにより、対応するプロセスユニット１０１へトナーを供給するように構成されている。そして、ボトルから供給されるトナーを供給経路上に設けたトナー残量センサ９０４ａ〜９０４ｄで検出することによりボトル内にトナーが残っているかどうかを判断することができる。また、画像形成制御部９１０は、不図示の給紙搬送モータで給紙ローラ１１４、１２７、１２８を駆動するなどの給紙カセット１１３、１２５、１２６のような紙搬送に関わるユニットを制御する。その他に、画像形成制御部９１０は、不図示の定着モータで定着ローラ１１７及び加圧ローラ１１８を駆動し、さらに不図示の定着ヒータで定着ローラ１１７及び１１８を加熱するなどの定着動作に関わるユニットを制御する。これら画像形成制御部９１０、および、画像形成制御部９１０によって制御される各部を含めて、プリンターエンジンと呼ぶ。
【００２４】
＜生産性モードの切替機能＞
次に、図４を参照して、生産性モードの切替機能について説明する。本実施形態に係る画像形成システム１０００では、生産性モードとして、通常生産性モード（第１モード）と、通常生産性モードよりも高い生産性で印刷を行う高生産性モード（第２モード）とを有している。具体的には、高生産性モードでは、例えば、通常生産性モードと比較して１．５倍程度の生産性で画像形成（印刷）が行われる。例えば、通常生産性モードは、Ａ４サイズの普通紙の印刷出力を毎分４０枚（すなわち４０ＰＰＭの出力速度）で可能である。また、高生産性モードは、Ａ４サイズの普通紙の印刷出力を毎分６０枚（すなわち６０ＰＰＭの出力速度）で可能である。通常生産性モードと高生産性モードのそれぞれは、同じジョブについて、第１の出力速度で印刷するモードと、その第１の出力速度よりも早い第２の出力速度で印刷するモードである。また、高生産性モードでは、画像形成のプロセススピード自体を高速に実行してもよいし、画像が印刷される用紙（記録媒体）を給送する間隔、即ち、紙間を短縮することにより高生産性を実現してもよい。そして本実施形態の画像形成システム１０００の特徴として、生産性モードの切り替えを行う際に、画像形成システム１０００は、再起動を必要としない。そのため、投入されたジョブが処理されている途中で、生産性モードを切り替えることが可能である。また、画像形成システム１０００は、生産性モードの切り替え前に投入されたジョブを、生産性モードの切り替え後に処理することも可能である。しかしながら、生産性モードの切り替えのために再起動が必要な画像形成システムであっても良い。例えば、ジョブの処理中に生産性モードの切り替えのタイミングが来た場合に、そのジョブの未処理分や後続ジョブを不揮発性のメモリに退避してから再起動し、退避した未処理分のジョブや後続ジョブを切り替え後の生産性モードで実行すればよい。或いは、後述の方法で生産性モードが決定されたジョブの処理を決定された生産性モードで完了してから再起動し、生産性モードを切り替えればよい。
【００２５】
図４はＵＩ装置６００に表示される設定画面の一例である。この設定画面は、メンテナンス担当者或いは画像形成システム１０００の管理者（以下、両者をオペレータと称する。）による所定の操作をＵＩ装置６００が受け付け、その操作内容をＵＩ制御部８２０がＣＰＵ８０１に通知することで表示される。なお、ここでは、ＵＩ装置６００に設定画面が表示され、オペレータから高生産性モードの期間の予約を受け付ける例について説明する。しかしながら、本発明はこれに限定されず様々な変形が可能である。例えば、画像形成装置１００にネットワークを介して接続された不図示のサーバに後述する設定画面を表示するようにしてもよい。この場合、サーバは、オペレータから受け付けた高生産性モードの予約情報を保持し、画像形成装置１００からの要求にしたがって当該保持している予約情報を送信する。画像形成装置１００は、サーバから取得した予約情報を用いて生産性モードを決定する。
【００２６】
図４（ａ）に示される設定画面は、画像形成システム１０００が高生産性モードで動作する期間の設定状況（予約状況）を示す画面であり、高生産性モードに切り替わる日時（開始日時）と、通常生産性モードに戻る日時（終了日時）を表したものである。つまり、開始日時と終了日時の間の期間が、予め予約された、高生産性モードで画像形成が可能な期間（生産性ＵＰ期間）となる。これら生産性ＵＰ期間の設定情報（予約情報）はＲＡＭ８０３で保持されている。この画面を閉じるにはオペレータはＯＫボタン４０２を押下する。
【００２７】
ここで生産性ＵＰ期間として、「２０１６年６月２５日０時００分から２０１６年７月２日０時００分までの期間」をオペレータが新たに設定（予約）しようとする場合について説明する。オペレータは、図４（ａ）に示される画面において、追加ボタン４０１を押下する。すると画面は図４（ｂ）に示される設定画面に遷移する。この画面においてオペレータは、開始日時の設定欄４０３を押下して、不図示のソフトウェアキーボード或いは不図示のテンキーを使って開始日時を指定する。終了日時を指定する場合も同様に、オペレータは、設定欄４０４を押下して日時を指定する。この設定による予約をキャンセルするには、オペレータはキャンセルボタン４０５を押下すればよい。この場合、画面は図４（ａ）に戻る。一方、この設定で良ければオペレータは、ＯＫボタン４０６を押すことであらたな生産性ＵＰ期間の予約を完了する。すなわち、ＵＩ装置６００はオペレータからの生産性ＵＰ期間の予約を受け付けることができる。受け付けられた予約の情報は、ＵＩ制御部８２０を介して、ＣＰＵ８０１に通知され、ＲＡＭ８０３へ格納される。すなわちＣＰＵ８０１は、オペレータによって入力された生産性ＵＰ期間の予約を受け付ける。そして画面は図４（ｃ）に遷移する。図４（ｃ）は図４（ａ）と同様の画面であるが、新たに予約された期間４０７が追加されている。図４（ｃ）では、オペレータが毎週金曜日と毎月２５日から月末までは大量に印刷されることを予測し、ユーザ入力に従って高生産性モードに設定している画面設定となっている。なお、既に設定されている予約（例えば予約期間４０７）をキャンセルしたい場合には、オペレータはその期間（予約期間４０７）を押下することで、図４（ｂ）の画面をＵＩ制御部８２０に表示させ、この画面でキャンセルボタン４０５を押下すればよい。
【００２８】
以上のようにしてＲＡＭ８０３に格納された設定情報に基づいた生産性で、画像形成は行われる。つまり、オペレータから受け付けられた予約にしたがって、第１のコントローラー８００は、ジョブの印刷出力を、通常生産性モード（第１の出力速度）で行うか、高速生産性モード（第２の出力速度）で行うように制御する。この制御には、第１のコントローラー８００から第２のコントローラー９００への出力速度の指示が含まれる。第２のコントローラー９００はその指示に従ってプリンターエンジンを制御する。このように第１のコントローラー、第２のコントローラー、プリンターエンジンは協働することで、画像形成装置の出力速度を制御する。以下、各実施形態では、ジョブの印刷出力が予約情報にしたがった生産性モードで実行される様子を説明する。
【００２９】
＜第１の実施形態＞
以下では、図５乃至図７を用いて本発明の第１の実施形態に係る画像形成システムについて説明する。本実施形態では、印刷開始時刻又は印刷ジョブの投入時刻の何れかの時刻を基準に当該ジョブを高生産性モード又は通常生産性モードの何れのモードでジョブを処理するかを判断する。本実施形態の画像形成システムは、ジョブが予約された期間内に投入された或いはそのジョブが予約された期間内に開始されることを条件として、そのジョブの印刷出力を高生産性モードで処理するように制御される。そしてこの条件が満たされなかった場合にジョブは通常生産性モードで処理される。より具体的には、本実施形態は、ジョブを処理するための生産性モードを、そのジョブの投入時刻或いはそのジョブの処理の開始時刻の何れかと、生産性ＵＰ期間とを参照して決定することを、特徴の一つとする。ジョブの投入とは、例えば、そのジョブの実行指示をＣＰＵ８０１が受け付けることであるが、これに限定されない。ジョブの処理の開始とは、そのジョブに関わる１ページ目の画像データが、ＣＰＵ８０１からＣＰＵ９０１に送信可能な状態になり、１ページ目の用紙への印刷が開始できる状態のことである。しかしながら、そのジョブに関わる１ページ目の画像データをレンダリング処理等によって生成し始めることを、ジョブの処理の開始としても良い。また本実施形態は、決定された生産性モードでジョブの処理を開始し、そのジョブの処理中に生産性ＵＰ期間が開始或いは終了したとしても、そのジョブの処理を中断せずに、決定された生産性モードでそのジョブの処理を継続することを、特徴の一つとする。
【００３０】
＜設定画面＞
まず、図５はＵＩ装置６００に表示される生産性ＵＰ判定の条件を設定する設定画面５００を表している。設定画面５００は、印刷開始時点の生産性モードを「印刷ジョブ投入時刻」又は「印刷開始時刻」のどちらで判断するかをメンテナンス担当者に選択させる（ユーザ入力を受け付ける）設定画面である。「印刷ジョブ投入時刻」或いは「印刷開始時刻」の設定は、ラジオボタン５０１、５０２で何れか一方しか選択できないようになっている。ＯＫボタン５０３を押下することによって確定した設定はＵＩ制御部８２０を介して、ＲＡＭ８０３へ格納される。図５の設定画面５００では、「印刷ジョブ投入時刻」が設定されている状態を表している。
【００３１】
「印刷ジョブ投入時刻」の設定は、印刷ジョブが投入された時刻で生産性のモードを切り替えるか否かを判断する設定である。一方、「印刷開始時刻」の設定は、投入された印刷ジョブが実際に印刷を開始する時刻である。例えば、投入されたタイミングで既に複数の印刷ジョブが待機している場合には、印刷ジョブ投入時刻よりも大幅に印刷開始時刻の方が遅くなる可能性がある。したがって、本実施形態では、印刷ジョブ投入時刻と印刷開始時刻とのいずれで生産性モードを切り替えるか否かを判断する設定をユーザに行わせている。
【００３２】
＜処理手順＞
続いて、図６を参照して、高生産性モードで印刷するか否かを判断する処理手順について説明する。以下で説明する処理は、例えばＣＰＵ８０１がＲＯＭ８０２に記憶されているプログラムをＲＡＭ８０３に読み出して実行することにより実現される。本フローチャートは、自動原稿読取装置２００やネットワークを介して接続された外部装置から入力された画像データをＣＰＵ８０１が受け付けたタイミングで開始される。
【００３３】
まず、Ｓ６０１で、ＣＰＵ８０１は、設定画面５００を介して設定された情報に従い、印刷開始時点の生産性モードを「印刷ジョブ投入時刻」又は「印刷開始時刻」のどちらで判断するか確認する。印刷開始時刻が選択されている場合にはＳ６０２へ進み、印刷ジョブ投入時刻が選択されている場合にはＳ６０３へ進む。
【００３４】
Ｓ６０２で、ＣＰＵ８０１は、Ｓ６０１で印刷開始時刻が選択されているため、画像データが印刷可能状態になるまで待機する。例えば、既に他のジョブが印刷中の場合には、他のジョブが終了するまで、該当ジョブの印刷は開始状態にはならない。また、ページ記述言語（Page Description Language）で記述された画像データの場合には、レンダリング処理を実行する必要があるため、当該画像処理が終了するまで印刷可能状態とはならない。Ｓ６０２ではこのような待ち状態が解消するまで待機し、次のＳ６０３へ進む。
【００３５】
Ｓ６０３で、ＣＰＵ８０１は、ジョブ管理回路部８００に不図示のリアルタイムクロック（ＲＴＣ）で現在時刻を取得し、Ｓ６０４へ進む。Ｓ６０４で、ＣＰＵ８０１は、Ｓ６０３で取得した現在時刻と、図４で説明したＲＡＭ８０３に格納された高生産性へ切り替える開始日時と終了日時の設定情報を比較し、生産性ＵＰ期間内か否かを判断する。生産性ＵＰ期間であれば、高生産性モードで、生産性ＵＰ期間外の場合には通常生産性モードでＣＰＵ８０１は動作し、画像形成回路部９００のＣＰＵ９０１に印刷指示を出す。つまり、ここで第１のコントローラー（ＣＰＵ８０１）は、処理対象のジョブ（現在のジョブ）を、高生産性モードで実行するか、通常生産性モードで実行するかを決定する。
【００３６】
これにより、ジョブ投入時刻と実際の印刷開始時刻に時間差があったとしても、ユーザやメンテナンス担当者の設定に従い、柔軟な動作が可能となる。例えば、「ジョブ投入時刻」を選択した場合には、生産性ＵＰ期間の終了間際にジョブを投入し、実際の印刷は生産性ＵＰ期間が終了してから印刷開始したとしても、高生産性モードでそのジョブを処理することができる。また、「印刷開始時刻」を選択した場合には、生産性ＵＰ期間の開始直前にジョブを投入し、実際の印刷は生産性ＵＰ期間が始まってから印刷開始したとしても、高生産性モードでそのジョブは動作することとなる。
【００３７】
続いて、図７を参照して、本実施形態に係る印刷中のＣＰＵ８０１の処理手順について説明する。以下で説明する処理は、例えばＣＰＵ８０１がＲＯＭ８０２に記憶されているプログラムをＲＡＭ８０３に読み出して実行することにより実現される。本フローチャートは、各ジョブにおいて画像形成が行われるページ単位で開始される。
【００３８】
Ｓ７０１で、ＣＰＵ８０１は、印刷データが残っているか否かを判断する。印刷データが残っていなければ印刷を終了し、印刷データが残っている場合には、Ｓ７０２に進む。Ｓ７０２で、ＣＰＵ８０１は、上記Ｓ６０４乃至Ｓ６０６で決定した生産性モードで印刷を継続する。つまり、ここで第１のコントローラー（ＣＰＵ８０１）は、処理対象のジョブが実行されている間、予め設定された生産性ＵＰ期間の開始日時或いは終了日時が来たとしても、Ｓ６０３で決定された生産性モードを変更しない。
【００３９】
以上説明したように、本実施形態に係る画像形成装置は、生産性モードとして通常生産性モードと当該通常生産性モードよりも生産性の高い高生産性モードとで動作可能である。また、本画像形成装置は、ジョブの投入時刻と該ジョブの開始時刻とのいずれを用いて当該ジョブの生産性モードを決定するか否かを、ユーザ入力に従って設定する。さらに、本画像形成装置は、設定された設定情報に従って、上記投入時刻又は開始時刻が予め設定した期間に含まれるか否かに従って当該ジョブの生産性モードを制御する。このような構成において、本実施形態によれば、ジョブ開始又は印刷開始時点で高生産性モードか通常生産性モードかを判断し、印刷中はそのモードを継続する。これにより、生産性を切り替える予め設定されたタイミングにおいて、既に投入されているジョブの生産性をユーザのニーズに合わせて好適に制御することができる。また、ユーザの意図に応じて、生産性の変化による色味の変動やパフォーマンスの劣化を抑制することができる。
【００４０】
＜第２の実施形態＞
以下では、図８を用いて本発明の第２の実施形態に係る画像形成システムについて説明する。本実施形態では、印刷中に現在処理しているジョブに適用している生産性モードと、現在時刻に対応する設定された生産性モードとが一致しているか否かに基づいて、生産性モードを切り替える構成について説明する。なお、本実施形態では、上記第１の実施形態と異なる構成及び制御についてのみ説明を記載する。すなわち、本実施形態は、第１の実施形態と同様に、ジョブを処理するための生産性モードを、そのジョブの投入時刻或いはそのジョブの処理の開始時刻の何れかと、生産性ＵＰ期間とを参照して決定することを、特徴の一つとする。そして本実施形態は、決定された生産性モードでジョブの処理を開始する。本実施形態は、そのジョブの処理中に生産性ＵＰ期間が開始或いは終了したことを検知すると、そのジョブの処理を中断せずに、生産性ＵＰ期間の開始或いは終了に対応した生産性モードでそのジョブの処理を継続することを、特徴の一つとする。
【００４１】
＜処理手順＞
図８を参照して、本実施形態に係る印刷中のＣＰＵ８０１の処理手順について説明する。以下で説明する処理は、例えばＣＰＵ８０１がＲＯＭ８０２に記憶されているプログラムをＲＡＭ８０３に読み出して実行することにより実現される。本フローチャートは、各ジョブにおいて画像形成が行われるページ単位で開始される。
【００４２】
Ｓ８０１で、ＣＰＵ８０１は、印刷データが残っているか否かを判断する。印刷データが残っていなければ印刷を終了し、印刷データが残っていれば、Ｓ８０２に進む。Ｓ８０２で、ＣＰＵ８０１は、現在印刷中のジョブの生産性モード（高生産性モード又は通常生産性モード）と、現在時刻を取得し、Ｓ８０３に進む。
【００４３】
Ｓ８０３で、ＣＰＵ８０１は、現在印刷中のジョブの生産性モードと現在時刻の生産性ＵＰ期間内のモードが一致しているか否かを判断する。一致している場合にはＳ８０４に進み、不一致の場合にはＳ８０５に進む。Ｓ８０４で、ＣＰＵ８０１は、上記Ｓ６０４乃至Ｓ６０６で決定した生産性モードで印刷を継続し、Ｓ８０１へ戻る。
【００４４】
一方、Ｓ８０５で、ＣＰＵ８０１は、Ｓ８０３で生産性ＵＰ期間が切り替わったと判断したため、即座に生産性モードを切り替え、現在時刻の生産性ＵＰの期間内のモードに合わせて、印刷を継続し、Ｓ８０１へ戻る。
【００４５】
以上説明したように、本実施形態によれば、受け付けたジョブの処理が生産性ＵＰ期間にまたがる場合には、またがるタイミングで、投入時刻又は前記開始時刻が生産性ＵＰ期間に含まれるか否かに従って決定した生産性モードを切り替える。このように、本実施形態では、印刷中に生産性ＵＰ期間が切り替わった場合には、直ちにそのモードに切り替えることができる。なお次のようにしても良い。ＣＰＵ８０１は、生産性ＵＰ期間の開始或いは終了を検知すると、処理中のジョブの生産性モードを、生産性ＵＰ期間の開始或いは終了に対応する生産性モードに切り替える。
【００４６】
＜第３の実施形態＞
以下では、図９及び図１０を用いて本発明の第３の実施形態に係る画像形成システムについて説明する。本実施形態では、ユーザに生産性ＵＰ期間の開始時刻になった際に生産性モードを切り替えるか否かを問い合わせ、問い合わせに対する応答に従って制御する構成について説明する。なお、本実施形態では、上記第１の実施形態と異なる構成及び制御についてのみ説明を記載する。
【００４７】
＜問い合わせ画面＞
図９を参照して、ＵＩ装置６００に表示される生産性モードを切り替える問い合わせ画面について説明する。問い合わせ画面９３０は、印刷中に生産性ＵＰ期間が切り替わった際に、印刷を中断し、ユーザに生産性モードの切り替えを問い合わせる画面である。ユーザは生産性モードを切り替えて印刷を再開するか、現在の生産性モードを継続するかを選択できる。
【００４８】
問い合わせ画面９３０は、「生産性モードを維持する」又は「生産性モードを切り替える」の設定を、ラジオボタン９３１、９３２の何れか１つしか選択できないように制御される。ＯＫボタン９３３を押下することによって、確定した設定がＵＩ制御部８２０を介して、ＲＡＭ８０３へ格納され、その設定に従いＣＰＵ８０１が印刷を再開する。
【００４９】
＜処理手順＞
図１０を参照して、本実施形態に係る印刷中のＣＰＵ８０１の処理手順について説明する。以下で説明する処理は、例えばＣＰＵ８０１がＲＯＭ８０２に記憶されているプログラムをＲＡＭ８０３に読み出して実行することにより実現される。本フローチャートは、各ジョブにおいて画像形成が行われるページ単位で開始される。
【００５０】
Ｓ１００１で、ＣＰＵ８０１は、印刷データが残っているか否かを判断する。印刷データが残っていなければ印刷を終了し、印刷データが残っていれば、Ｓ１００２に進む。Ｓ１００２で、ＣＰＵ８０１は、現在印刷中のジョブの生産性モード（高生産性モード又は通常生産性モード）と、現在時刻を取得し、Ｓ１００３に進む。
【００５１】
Ｓ１００３で、ＣＰＵ８０１は、現在印刷中ジョブの生産性モードと現在時刻の生産性ＵＰ期間内のモードが一致しているか否かを判断する。一致している場合にはＳ１００４に進み、不一致の場合にはＳ１００５に進む。Ｓ１００４で、ＣＰＵ８０１は、上記Ｓ６０４乃至６０６で決定した生産性モードで印刷を継続し、Ｓ１００１へ戻る。
【００５２】
Ｓ１００５で、ＣＰＵ８０１は、印刷を一時停止し、図９で説明した問い合わせ画面９３０をＵＩ装置６００に表示し、ユーザの指示を待つ。
【００５３】
Ｓ１００６で、ＣＰＵ８０１は、問い合わせ画面９３０によって、「生産性モードを維持する」又は「生産性モードを切り替える」のいずれが選択されたかを判断する。「生産性モードを維持する」が選択された場合にはＳ１００４に進み、上記Ｓ６０４乃至Ｓ６０６で決定した生産性モードで印刷を継続する。「生産性モードを切り替える」が選択された場合にはＳ１００７に進む。
【００５４】
Ｓ１００７で、ＣＰＵ８０１は、Ｓ１００６で生産性ＵＰ期間が切り替わったため、即座に生産性モードを切り替え、印刷を再開し、Ｓ１００１へ戻る。
【００５５】
以上説明したように、本実施形態では、受け付けたジョブの処理が生産性ＵＰ期間にまたがる場合に、またがるタイミングで、投入時刻又は開始時刻が生産性ＵＰ期間に含まれるか否かに従って決定した生産性モードを切り替えるか否かをユーザに問い合わせる。さらに、当該問い合わせ結果に従って生産性モードを制御する。このように、本実施形態では、印刷中に生産性ＵＰ期間が切り替わった場合には、ユーザに生産性モードを切り替えるかを問い合わせ、その指示に従って生産性モードを切り替えることができる。
【００５６】
＜第４の実施形態＞
以下では、図１１及び図１２を用いて本発明の第４の実施形態に係る画像形成システムについて説明する。本実施形態では、生産性モードが切り替える際に現在の生産性モードをユーザの設定に応じて所定時間が経過するまで、或いは、所定枚数を印刷するまで継続する構成について説明する。なお、本実施形態では、上記第１の実施形態と異なる構成及び制御についてのみ説明を記載する。
【００５７】
＜設定画面＞
図１１を参照して、ＵＩ装置６００に表示される設定画面１１００について説明する。設定画面１１００は、印刷中に生産性ＵＰ期間が切り替わった際に、生産性モードを切り替えずに印刷を継続する条件をメンテナンス担当者が設定する（ユーザ入力を受け付ける）画面である。設定画面１１００には、生産性ＵＰ期間が切り替わったとしても、所定時間が経過するまで現在の生産性モードを継続するか、或いは所定枚数印刷するまで現在の生産性モードを継続するかを選択するラジオボタン１１０１、１１０２が設けられる。
【００５８】
また、所定時間が経過するまで現在の生産性モードを継続する場合には、その所定時間を設定でき、図１１の例では「１０分」を示している。同様に所定枚数印刷するまで、現在の生産性モードを継続する場合には、その所定枚数を設定でき、図１１の例では「３０枚」を示している。この所定時間、所定枚数の設定はラジオボタンで何れか１つしか選択できないようになっている。ＯＫボタン１１０３を押下することによって確定した設定はＵＩ制御部８２０を介して、ＲＡＭ８０３へ格納される。
【００５９】
＜処理手順＞
図１２を参照して、本実施形態に係る印刷中のＣＰＵ８０１の処理手順について説明する。以下で説明する処理は、例えばＣＰＵ８０１がＲＯＭ８０２に記憶されているプログラムをＲＡＭ８０３に読み出して実行することにより実現される。本フローチャートは、各ジョブにおいて画像形成が行われるページ単位で開始される。
【００６０】
Ｓ１２０１で、ＣＰＵ８０１は、印刷データが残っているか否かを判断する。印刷データが残っていなければ印刷を終了し、印刷データが残っていれば、Ｓ１２０２に進む。Ｓ１２０２で、ＣＰＵ８０１は、現在印刷中のジョブの生産性モード（高生産性モード或いは通常生産性モード）と、現在時刻を取得し、Ｓ１２０３に進む。Ｓ１２０３で、ＣＰＵ８０１は、現在印刷中ジョブの生産性モードと現在時刻の生産性ＵＰ期間内のモードが一致しているか否かを判断する。一致している場合にはＳ１２０４に進み、不一致の場合にはＳ１２０５に進む。Ｓ１２０４で、ＣＰＵ８０１は、上記Ｓ６０４乃至Ｓ６０６で決定した生産性モードで印刷を継続し、Ｓ１２０１へ戻る。
【００６１】
一方、Ｓ１２０５で、ＣＰＵ８０１は、生産性ＵＰ期間が切り替わった場合であっても一定期間生産性モードを維持するかどうかを判断する。一定期間生産性モードを維持する場合にはＳ１２０６に進み、一定期間生産性モードを維持しない場合にはＳ１２０８へ進む。Ｓ１２０６で、ＣＰＵ８０１は、一定時間が経過したか否かを判断し、経過していない場合には、Ｓ１２０４に進み、現在の生産性モードを維持し印刷を継続する。一定時間が経過していればＳ１２０７に進み、ＣＰＵ８０１は、生産性モードを切り替えて、印刷を継続し、Ｓ１２０１へ戻る。
【００６２】
Ｓ１２０８で、ＣＰＵ８０１は、生産性ＵＰ期間が切り替わっても一定枚数印刷するまで、生産性モードを維持し、Ｓ１２０９へ進む。Ｓ１２０９で、ＣＰＵ８０１は一定枚数印刷したかを判断する。一定枚数印刷した場合にはＳ１２０７へ進み、生産性モードを切り替えて印刷を継続する。一定枚数印刷していない場合にはＳ１２１０へ進み、Ｓ１２０４と同様に現在の生産性モードを継続し、Ｓ１２０１へ戻る。
【００６３】
以上説明したように、本実施形態では、受け付けたジョブの処理が生産性ＵＰ期間にまたがる場合には、またがるタイミングから一定時間が経過した後に、投入時刻又は開始時刻が生産性ＵＰ期間に含まれるか否かに従って決定した生産性モードを切り替える。或いは、本実施形態では、受け付けたジョブの処理が生産性ＵＰ期間にまたがる場合には、またがるタイミングから一定枚数の印刷が行われた後に、投入時刻又は開始時刻が生産性ＵＰ期間に含まれるか否かに従って決定した生産性モードを切り替える。このように、本実施形態では、印刷中に生産性ＵＰ期間が切り替わった場合でも、直ちに生産性モードを切り替えるのではなく、一定期間が経過するか、或いは、一定枚数の印刷が行われた後に生産性モードを切り替えることができる。
【００６４】
＜第５の実施形態＞
以下では、図１３を用いて本発明の第５の実施形態に係る画像形成システムついて説明する。本実施形態では、上記第１乃至第４の実施形態で説明した制御をユーザの設定に応じて切り替える構成について説明する。なお、本実施形態では、上記第１の実施形態と異なる構成及び制御についてのみ説明を記載する。
【００６５】
＜設定画面＞
図１３を参照して、ＵＩ装置６００に表示される設定画面１３００について説明する。設定画面１３００は、印刷中に生産性ＵＰ期間が切り替わった際の動作制御をメンテナンス担当者が設定する画面である。
【００６６】
設定画面１３００は、上記第１乃至第４の実施形態の動作制御をメンテナンス担当者が設定する画面である。「現在の生産性モードを継続する」、「現在の生産性モードから即座に切り替える」、「生産性モード切り替え確認画面を出す」、「所定時間経過するまで現在の生産性モードを継続する」、「所定枚数印刷するまで現在の生産性モードを継続する」の設定はラジオボタン１３０１〜１３０５で何れか一つしか選択できないようになっている。
【００６７】
そして、ＯＫボタン１３０６を押下することによって確定した設定はＵＩ制御部８２０を介して、ＲＡＭ８０３へ格納されている。「現在の生産性モードを継続する」が設定された場合には、ＣＰＵ８０１は上記第１の実施形態で説明した制御を実行する。「現在の生産性モードから即座に切り替える」が設定された場合には、ＣＰＵ８０１は上記第２の実施形態で説明した制御を実行する。「生産性モード切り替え確認画面を出す」が設定された場合には、ＣＰＵ８０１は上記第３の実施形態を実行する。「所定時間経過するまで現在の生産性モードを継続する」又は「所定枚数印刷するまで現在の生産性モードを継続する」が設定された場合には、ＣＰＵ８０１は上記第４の実施形態を実行する。
【００６８】
以上説明したように、本実施形態では、印刷中に生産性ＵＰ期間が切り替わった場合の動作制御をメンテナンス担当者が任意に選択できる。これにより、高生産性モードへ切り替え設定可能な画像形成システムにおいて、メンテナンス担当者、ユーザのニーズに合わせた期間ライセンスによって特定期間のみ高生産性モードで動作させる画像形成装置の制御方法を提供できる。
【００６９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７０】
１０００：画像形成システム、１００：画像形成装置、２００：自動原稿読取装置、６００：ＵＩ装置、８００：ジョブ管理回路部、８１０：ネットワークＩ／Ｆ制御部、８２０：ＵＩ制御部、８４０：読取制御部、９００：画像形成回路部、９１０：画像形成制御部
【図１】
2018079643.tif 000003
【図２】
2018079643.tif 000004
【図３】
2018079643.tif 000005
【図４】
2018079643.tif 000006
【図５】
2018079643.tif 000007
【図６】
2018079643.tif 000008
【図７】
2018079643.tif 000009
【図８】
2018079643.tif 000010
【図９】
2018079643.tif 000011
【図１０】
2018079643.tif 000012
【図１１】
2018079643.tif 000013
【図１２】
2018079643.tif 000014
【図１３】
2018079643.tif 000015